(57)【特許請求の範囲】
【請求項１】
建物と前記建物に並設された仮設足場との間の昇降移動に使用する昇降タラップであって、
左右に離間して配置された左右の縦材フレームを有し、上下一側端部が前記仮設足場に回動自在に支持されるフレーム部と、
前記左右の縦材フレーム内にそれぞれ上下方向へ向けて摺動可能に収容される左右の縦材と、前記左右の縦材の間に架設される複数の横桟材とを有し、前記フレーム部内に出入可能に構成される梯子部と、
を具備して、
不使用時には、前記梯子部を前記フレーム部内に進入させると共に、前記フレーム部の上下他側端部を前記仮設足場に近接させることにより、前記建物と前記仮設足場との間の昇降移動に使用不能な第一状態とし、
使用時には、前記フレーム部の上下他側端部を前記仮設足場から離間させて前記建物に近接させると共に、前記梯子部を前記フレーム部外に退出させることにより、前記建物と前記仮設足場との間の昇降移動に使用可能な第二状態とする、
ことを特徴とする昇降タラップ。
【請求項２】
上下一側端部が前記フレーム部に回動可能に支持されるステージ部を具備し、
前記第一状態では、前記ステージ部の上下他側端部を前記フレーム部に近接させることにより、前記ステージ部を前記フレーム部に収容し、
前記第二状態では、前記ステージ部の上下他側端部を前記フレーム部から離間させて前記仮設足場に連結させることにより、前記フレーム部における前記第二状態の姿勢を維持させる、
ことを特徴とする請求項１に記載の昇降タラップ。
【請求項３】
前記第二状態では、前記ステージ部を前記建物と前記仮設足場との間の足場として使用する、
ことを特徴とする請求項２に記載の昇降タラップ。
【発明の詳細な説明】
【技術分野】
【０００１】
本発明は、集合住宅やビル等の建物と前記建物に並設される仮設足場との間の昇降移動に使用する昇降タラップの技術に関する。
【背景技術】
【０００２】
従来、集合住宅やビル等の建物と前記建物に並設される仮設足場との間の昇降移動に、公知技術である一般的な梯子が使用される場合がある。
【０００３】
しかし、一般的な梯子を使用した場合には、建物や仮設足場に対しての固定手段がないため、前記梯子の設置が不安定となり、建物と仮設足場との間の昇降移動をスムーズに行うことができないという問題があった。
【０００４】
これに対して、特許文献１に記載された技術のように、例えばトラックの荷台枠に装着可能に構成された梯子（タラップ）を、建物と仮設足場との間の昇降移動に使用（転用）した場合には、前記梯子の設置が安定するため、建物と仮設足場との間の昇降移動をスムーズに行うことができる。
【先行技術文献】
【特許文献】
【０００５】
【特許文献１】特開２００５−３１３８８７号公報
【発明の概要】
【発明が解決しようとする課題】
【０００６】
しかしながら、特許文献１に記載された梯子（タラップ）を建物と仮設足場との間の昇降移動に使用（転用）した場合には、前記梯子をその場で収納することができないため、作業の邪魔となったり、作業者の意図に反して（例えば、いたずら等に）使用されたりするという不都合が生じる問題点があった。
【０００７】
本発明は、上記のような問題点に鑑みてなされたものであり、その解決しようとする課題は、集合住宅やビル等の建物と前記建物に並設される仮設足場との間の昇降移動をスムーズに行うことができ、また、その場で収納することができるので、作業の邪魔となったり、作業者の意図に反して（例えば、いたずら等に）使用されたりする不都合が生じることを防止することができる昇降タラップを提供することである。
【課題を解決するための手段】
【０００８】
本発明の解決しようとする課題は以上の如くであり、次にこの課題を解決するための手段を説明する。
【０００９】
即ち、請求項１においては、建物と前記建物に並設された仮設足場との間の昇降移動に使用する昇降タラップであって、左右に離間して配置された左右の縦材フレームを有し、上下一側端部が前記仮設足場に回動自在に支持されるフレーム部と、前記左右の縦材フレーム内にそれぞれ上下方向へ向けて摺動可能に収容される左右の縦材と、前記左右の縦材の間に架設される複数の横桟材とを有し、前記フレーム部内に出入可能に構成される梯子部と、を具備して、不使用時には、前記梯子部を前記フレーム部内に進入させると共に、前記フレーム部の上下他側端部を前記仮設足場に近接させることにより、前記建物と前記仮設足場との間の昇降移動に使用不能な第一状態とし、使用時には、前記フレーム部の上下他側端部を前記仮設足場から離間させて前記建物に近接させると共に、前記梯子部を前記フレーム部外に退出させることにより、前記建物と前記仮設足場との間の昇降移動に使用可能な第二状態とするものである。
【００１０】
請求項２においては、上下一側端部が前記フレーム部に回動可能に支持されるステージ部を具備し、前記第一状態では、前記ステージ部の上下他側端部を前記フレーム部に近接させることにより、前記ステージ部を前記フレーム部に収容し、前記第二状態では、前記ステージ部の上下他側端部を前記フレーム部から離間させて前記仮設足場に連結させることにより、前記フレーム部における前記第二状態の姿勢を維持させるものである。
【００１１】
請求項３においては、前記第二状態では、前記ステージ部を前記建物と前記仮設足場との間の足場として使用するものである。
【発明の効果】
【００１２】
本発明の効果として、以下に示すような効果を奏する。
【００１３】
本発明に係る昇降タラップは、集合住宅やビル等の建物と前記建物に並設される仮設足場との間の昇降移動をスムーズに行うことができ、また、その場で収納することができるので、作業の邪魔となったり、作業者の意図に反して（例えば、いたずら等に）使用されたりする不都合が生じることを防止することができる。
【図面の簡単な説明】
【００１４】
【図１】本発明の一実施形態に係る昇降タラップを設置した様子を示した左側面図。
【図２】図１における符号Ｘで示した領域の拡大図。
【図３】（ａ）フレーム部を示した背面図。（ｂ）同じく、左側面図。（ｃ）同じく、図３（ａ）におけるＡ−Ａ線矢視断面図。
【図４】（ａ）梯子部を示した背面図。（ｂ）同じく、左側面図。（ｃ）同じく、図４（ａ）におけるＢ−Ｂ線矢視断面図。
【図５】（ａ）ステージ部を示した背面図。（ｂ）同じく、左側面図。
【図６】（ａ）不使用時における昇降タラップを示した背面図。（ｂ）同じく、左側面図。（ｃ）同じく、図６（ａ）におけるＣ−Ｃ線矢視断面図。
【図７】（ａ）使用時における昇降タラップを示した背面図。（ｂ）同じく、左側面図。
【図８】（ａ）不使用時における昇降タラップの状態を示した左側面図。（ｂ）同じく、図８（ａ）の状態から昇降タラップを回動させた状態を示した左側面図。
【図９】（ａ）同じく、図８（ｂ）の状態からステージ部を回動させた状態を示した左側面図。（ｂ）同じく、図９（ａ）の状態から梯子部を降ろした状態を示した左側面図。
【発明を実施するための形態】
【００１５】
以下では、本発明の一実施形態に係る昇降タラップ１００の構成について説明する。
なお、以下では、図中に示した矢印の方向に基づいて、前後方向、左右方向、及び上下方向を定義する。
【００１６】
図１及び図２に示すように、建物１の補修・修繕工事等を行う場合には、建物１の外側に作業用の仮設足場１０が並設される。仮設足場１０は、複数のパイプ部材１１や足場部材１２等により組み立てられる。
ここで、「建物」とは、バルコニーや廊下等を有して、補修・修繕工事等を行う場合に、仮設足場（より詳細には、足場部材）と建物（より詳細には、バルコニーや廊下等）との間を作業者が昇降移動する必要がある建築物であり、例えば集合住宅やビル等を想定している。
なお、本実施形態において、建物１は、集合住宅であって各階ごとにバルコニー２及び廊下３を有している。
【００１７】
図１及び図２に示す昇降タラップ１００は、仮設足場１０の足場部材１２と、建物１のバルコニー２及び廊下３と、の間を作業者が昇降移動するために設置されるものである。昇降タラップ１００は、主として、フレーム部２０と、梯子部４０と、ステージ部５０とにより形成される。
なお、以下では、説明の便宜上、昇降タラップ１００を、建物１の前方に配置された仮設足場１０の足場部材１２と、建物１のバルコニー２と、の間を作業者が昇降移動するために設置された昇降タラップとして説明する。
【００１８】
図２及び図３に示すフレーム部２０は、主として、左縦材フレーム２１と、右縦材フレーム２２と、上横材２３と、下横材２４と、クランプ２５と、ステージ収容部２６と、引掛け具２７と、を具備する。
【００１９】
図３に示す左縦材フレーム２１は、フレーム部２０の左側に配置される。左縦材フレーム２１は、その長手方向を上下方向へ向けた細長い棒状に形成される。左縦材フレーム２１は、平面断面視で右側が開放された略四角筒状に形成される。左縦材フレーム２１の上部には、前後方向へ向けて貫通した第一挿通孔２８が形成される。左縦材フレーム２１の下部には、前後方向へ向けて貫通した第二挿通孔２９が形成される。
【００２０】
図３に示す右縦材フレーム２２は、左縦材フレーム２１に対向して、フレーム部２０の右側に配置される。右縦材フレーム２２は、その長手方向を上下方向へ向けた細長い棒状に形成される。右縦材フレーム２２は、平面断面視で左側が開放された略四角筒状に形成される。
【００２１】
図３に示す上横材２３は、フレーム部２０の上側に配置される。上横材２３は、その長手方向を左右方向へ向けた細長い棒状に形成される。上横材２３は、左縦材フレーム２１の上端部と右縦材フレーム２２の上端部との間に架設され、左縦材フレーム２１と右縦材フレーム２２とを連結している。
【００２２】
図３に示す下横材２４は、フレーム部２０の下側に配置される。下横材２４は、その長手方向を左右方向へ向けた細長い棒状であって、平面視で凸状に形成される。すなわち、下横材２４には、その左右中央部が左部及び右部より前方に配置されているため、前記左部と前記右部との間に隙間Ｓが形成される。下横材２４は、左縦材フレーム２１の下端部と右縦材フレーム２２の下端部との間に架設され、左縦材フレーム２１と右縦材フレーム２２とを連結している。
【００２３】
このように、フレーム部２０は、左縦材フレーム２１、右縦材フレーム２２、上横材２３、及び下横材２４により、正面視で長手方向を上下方向へ向けた略矩形の枠体として形成される。
【００２４】
図３に示すクランプ２５は、側面視で略円環状の金具である。クランプ２５は、クランプ回動部２５ａと、クランプ基部２５ｂと、を具備する。クランプ回動部２５ａは、その上部がクランプ基部２５ｂの上部に枢支される一方、下部がクランプ基部２５ｂの下部にボルト・ナットにより固定可能に構成される。クランプ２５は、左縦材フレーム２１の上端部と右縦材フレーム２２の上端部とに、それぞれ前方へ向けて突出して設けられる。このようにして、クランプ２５は、フレーム部２０の上端部を仮設足場１０（より詳細には、第一パイプ１２ａ）に回動自在となると共に、着脱可能となるように支持している。
なお、第一パイプ１２ａは、昇降タラップ１００を支持するために仮設足場１０に適宜に設置されるものであり、軸心方向を左右方向へ向けて配置される。
【００２５】
図３に示すステージ収容部２６は、ステージ部５０を収容するものである。ステージ収容部２６は、フレーム部２０の下部に配置される。ステージ収容部２６は、支持部３０と、保持部３１と、を具備する。
【００２６】
支持部３０は、ステージ部５０の下端部側（回動基部側）をフレーム部２０に回動自在となるように支持するものである。支持部３０は、左縦材フレーム２１の下端部と右縦材フレーム２２の下端部とに、それぞれ前方へ向けて突出したステーにより形成される。支持部３０は、後述するステージ部５０のステージ支持部５２と引掛け具２７とをピン等により回動自在に支持する。
【００２７】
保持部３１は、左縦材フレーム２１の下部であって、当該左縦材フレーム２１の下端部に形成された支持部３０よりも上方に配置される。保持部３１は、前方へ向けて突出したステーにより形成される。保持部３１は、ステージ部５０がステージ収容部２６に収容された（折り畳まれた）状態で、ステージ部５０の上端部（先端部）に設けられたステージ収容片５４と合わせて、ステージ部５０をフレーム部２０に固定できるように構成される。
【００２８】
図３に示す引掛け具２７は、略半円弧状に延出して形成された係止爪を具備する。引掛け具２７は、左縦材フレーム２１の下端部に形成された支持部３０に回動自在に支持される。引掛け具２７は、昇降タラップ１００が使用されていない状態で、仮設足場１０（より詳細には、第二パイプ１２ｂ）に係止可能に構成される。
なお、第二パイプ１２ｂは、昇降タラップ１００が使用されていない状態において、当該昇降タラップ１００を仮設足場１０に係止するために仮設足場１０に適宜に設置されるものであり、軸心方向を左右方向へ向けて配置される。
【００２９】
図２及び図４に示す梯子部４０は、主として、左縦材４１と、右縦材４２と、複数の横桟材４３と、を具備する。
【００３０】
図４に示す左縦材４１は、梯子部４０の左側に配置される。左縦材４１は、その長手方向を上下方向へ向けた細長い棒状に形成される。左縦材４１は、その上下方向の長さが、フレーム部２０の左縦材フレーム２１の上下方向の長さと同一か、又は若干小さく形成される。左縦材４１は、平面断面視でその外寸が、左縦材フレーム２１の内寸より若干小さい略四角筒状に形成される（図６参照）。右縦材４２の上部には、抜け止めプレート４５が前方へ向けて突出したステーにより形成される。また、左縦材４１の上部には、上下方向に均等な間隔をあけて、前後方向へ向けて貫通した複数の挿通孔４４が形成される。
【００３１】
図４に示す右縦材４２は、左縦材４１に対向して、梯子部４０の右側に配置される。右縦材４２は、その長手方向を上下方向へ向けた細長い棒状に形成される。左縦材４１は、その上下方向の長さが、フレーム部２０の右縦材フレーム２２の上下方向の長さと同一か、又は若干小さく形成される。右縦材４２は、平面断面視でその外寸が、右縦材フレーム２２の内寸より若干小さい略四角筒状に形成される（図６参照）。
【００３２】
図４に示す横桟材４３は、梯子部４０の左右中央部に、上下方向に均等な間隔をあけて複数（本実施形態では、４つ）設けられる。横桟材４３は、その長手方向を左右方向へ向けた細長い棒状に形成される。横桟材４３は、その左右方向の長さが、フレーム部２０の左縦材フレーム２１と右縦材フレーム２２との間の長さと同一に形成される。横桟材４３は、左縦材４１と右縦材４２との間に架設され、前記左縦材４１と前記右縦材４２とを連結している。
【００３３】
このように、梯子部４０は、左縦材４１、右縦材４２、及び横桟材４３により、正面視で長手方向を上下方向へ向けた（昇降可能な）梯子として形成される。
【００３４】
図２及び図５に示すステージ部５０は、主として、ステージ板材５１を具備する。
【００３５】
図５に示すステージ板材５１は、その板面を前後方向へ向けた略板状に形成される。ステージ板材５１は、正面視で長手方向を左右方向へ向けた略矩形に形成される。ステージ板材５１は、その左右方向の長さが、左縦材フレーム２１と右縦材フレーム２２との間の長さと同一か、又は若干長く形成される。なお、ステージ板材５１の後側面には、滑り止め加工が施される。ステージ板材５１は、ステージ支持部５２と、ステージ係止部５３と、ステージ収容片５４と、を具備する。
【００３６】
図５に示すステージ支持部５２は、ステージ部５０の下端部側（回動基部側）をフレーム部２０に回動自在となるように支持するものである。ステージ支持部５２は、ステージ板材５１の左下端部と右下端部とに、それぞれ下方へ向けて突出したステーにより形成される。
【００３７】
図５に示すステージ係止部５３は、ステージ板材５１の左上端部と右上端部とに、それぞれ上方へ向けて突出したハンド状であって側面視で前方が開放された略円弧状に形成される。ステージ係止部５３は、ステージ部５０がステージ収容部２６に収容されていない（折り畳まれていない）状態で、仮設足場１０（より詳細には、第二パイプ１２ｂ）に係止可能に構成される。
【００３８】
図５に示すステージ収容片５４は、ステージ板材５１の左上端部に、左方へ向けて突出したステーにより形成される。ステージ収容片５４は、ステージ部５０がステージ収容部２６に収容された（折り畳まれた）状態で、フレーム部２０の左縦材フレーム２１の下部に設けられた保持部３１と合わせて、ステージ部５０をフレーム部２０に固定できるように構成される。
【００３９】
次に、フレーム部２０と梯子部４０とステージ部５０とによる昇降タラップ１００の組み付け構成について、図６及び図７を用いて説明する。
【００４０】
以下では、梯子部４０とフレーム部２０との組み付け構成について説明する。
【００４１】
梯子部４０は、フレーム部２０に対して摺動自在に組み付けられる。より詳細には、梯子部４０は、左縦材４１及び右縦材４２が、フレーム部２０の左縦材フレーム２１及び右縦材フレーム２２の内部にそれぞれ挿入される。そして、梯子部４０の左縦材４１及び右縦材４２は、それぞれフレーム部２０の左縦材フレーム２１及び右縦材フレーム２２の内部を上下方向（長手方向）へ向けて摺動自在に構成される。
【００４２】
なお、図６に示すのは、使用されていない状態（以下では、単に「不使用状態」と称する。）（組み立てられていない状態）の昇降タラップ１００である。このように、昇降タラップ１００が不使用状態においては、梯子部４０の左縦材４１及び右縦材４２の略全てがフレーム部２０の内部に挿入され、フレーム部２０と梯子部４０とは正面視で略重複する位置関係となる。すなわち、昇降タラップ１００が不使用状態においては、組み付けられたフレーム部２０及び梯子部４０の長手方向の長さは、当該フレーム部２０（又は、当該梯子部４０）の長手方向の長さと略同一となる。
【００４３】
このように、昇降タラップ１００が不使用状態においては、梯子部４０の左縦材４１及び右縦材４２の略全てがフレーム部２０の内部に挿入されるため、梯子部４０専用の収納場所を設ける必要がなく、昇降タラップ１００をコンパクトにして小さなスペースに収納できる。すなわち、コストの削減を図ることができると共に、スペースの有効活用を図ることができる。
【００４４】
また、図７に示すのは、使用されている状態（以下では、単に「使用状態」と称する。）（組み立てられた状態）の昇降タラップ１００である。昇降タラップ１００が使用状態においては、フレーム部２０の引掛け具２７が第二パイプ１２ｂに係止されておらず（図８参照）、クランプ２５が仮設足場１０に配設された第一パイプ１２ａに回転自在に支持された状態となる。そして、昇降タラップ１００が使用状態においては、フレーム部２０及び梯子部４０が側面視で反時計回りに回動して、上側が前方であり下側が後方となるように傾斜した姿勢となる。
【００４５】
このように、昇降タラップ１００が使用状態においては、梯子部４０の左縦材４１及び右縦材４２の略全てがフレーム部２０の内部に挿入されておらず（フレーム部２０から露出して）、フレーム部２０の下端部と梯子部４０の上端部とが正面視で略重複する位置関係となる。すなわち、昇降タラップ１００が使用状態においては、組み付けられたフレーム部２０及び梯子部４０の長手方向の最長の長さは、当該フレーム部２０と当該梯子部４０とのそれぞれの長手方向の長さを足し合わせた長さと略同一となる。
【００４６】
なお、昇降タラップ１００が不使用状態においては、フレーム部２０の左縦材フレーム２１の第一挿通孔２８、及び梯子部４０の左縦材４１の複数の挿通孔４４のうち最上部に形成された挿通孔４４に、図示せぬトグルピンが挿通される。これによって、昇降タラップ１００が不使用状態における、フレーム部２０及び梯子部４０の相互の位置関係が維持（固定）されることとなる（梯子部４０がフレーム部２０に対して下方へ摺動しない）。
【００４７】
また、昇降タラップ１００が使用状態においては、梯子部４０の下端部が建物１のバルコニー２の床面に当接している（図９（ｂ）参照）。すなわち、フレーム部２０と梯子部４０とが前記トグルピンにより固定されていないため、梯子部４０はフレーム部２０に対して摺動自在となり自重によって長手方向の下方側に位置するバルコニー２の床面を押圧する。これによって、昇降タラップ１００が使用状態における、フレーム部２０及び梯子部４０の相互の位置関係が維持（固定）されることとなる（梯子部４０がフレーム部２０に対して下方へ摺動しない）。
【００４８】
なお、昇降タラップ１００が使用状態においては、フレーム部２０の左縦材フレーム２１の第二挿通孔２９、及び左縦材４１の任意の挿通孔４４に、前記トグルピンを挿通することができる。これによって、昇降タラップ１００が使用状態において、フレーム部２０の内部に挿入されずに下方に露出している梯子部４０の長さを複数段階に調整して、梯子部４０の下端部をバルコニー２の床面から任意の高さだけ離間させることができる。これによって、例えば作業者が作業するときに梯子部４０が邪魔となる場合には、梯子部４０の下端部をバルコニー２の床面から任意の高さだけ離間させて、梯子部４０が作業の邪魔となることを防止することができる。
【００４９】
以下では、ステージ部５０とフレーム部２０との組み付け構成について説明する。
【００５０】
ステージ部５０は、フレーム部２０に対して回動自在に組み付けられ、前記フレーム部２０のステージ収容部２６に収容可能に構成される。ステージ部５０は、ステージ支持部５２がフレーム部２０のステージ収容部２６の支持部３０に、図示せぬピンを介して回動自在に連結される。これによって、ステージ部５０は、フレーム部２０に対して回動自在に支持される。
【００５１】
なお、図６に示すのは、フレーム部２０のステージ収容部２６に収容されている状態（組み立てられていない状態）のステージ部５０である。このように、ステージ部５０が収容されている状態においては、ステージ部５０は、ステージ係止部５３（先端部）が上方へ向けられて、フレーム部２０の長手方向に沿うように配置される。すなわち、ステージ部５０が収容されている状態においては、ステージ部５０とフレーム部２０とをコンパクトに組み付けることができる。
【００５２】
また、図７に示すのは、使用されている状態（収容されていない状態）（組み立てられた状態）のステージ部５０である。このように、ステージ部５０が使用されている状態においては、ステージ部５０が側面視で反時計回りに回動して、ステージ係止部５３（先端部）が前方へ向けられた姿勢となる。なお、かかる場合には、ステージ部５０は、ステージ板材５１を板面を上下方向へ向けた状態となる。
【００５３】
次に、不使用状態から使用状態への昇降タラップ１００の組み立て方法について、図８及び図９を用いて説明する。
【００５４】
図８（ａ）に示すように、昇降タラップ１００は不使用状態において、長手方向を上下方向へ向けた状態で、仮設足場１０に付設される。なお、かかる状態では、フレーム部２０の引掛け具２７は、第二パイプ１２ｂに係止されている。これによって、昇降タラップ１００は、自由に（作業者の意図に反して）回動しないように構成される。
【００５５】
このように、昇降タラップ１００は不使用状態において、仮設足場１０に収納させることができる。したがって、昇降タラップ１００は不使用状態において、作業者の作業の邪魔となることを防止することができる。また、昇降タラップ１００は不使用状態において、仮設足場１０に付設すればよく、当該昇降タラップ１００専用の収納場所を設ける必要がない。すなわち、コストの削減を図ることができると共に、スペースの有効活用を図ることができる。
【００５６】
次に、図８（ｂ）に示すように、昇降タラップ１００を、フレーム部２０の引掛け具２７を第二パイプ１２ｂから外して、側面視で反時計回りに回動させる。
【００５７】
次に、図９（ａ）に示すように、ステージ部５０を、フレーム部２０の保持部３１から外して、側面視で反時計回りに回動させる。そして、ステージ部５０の先端部に形成されたステージ係止部５３を、第二パイプ１２ｂに上方から係止させる。これによって、フレーム部２０及び梯子部４０の回動された後の姿勢（上側が前方であり下側が後方となるように傾斜した姿勢）が維持（固定）される。
【００５８】
次に、図９（ｂ）に示すように、梯子部４０をフレーム部２０に対して摺動させ、下方へ向けて降ろす。すなわち、フレーム部２０の内側に略全てが挿入されていた梯子部４０の左縦材４１及び右縦材４２を、当該フレーム部２０の外側に露出させる。なお、かかる場合に、フレーム部２０の下横材２４には、隙間Ｓが形成されているので、梯子部４０の横桟材４３と前記下横材２４とで作業者の手が挟まることを防止することができる。また、梯子部４０の抜け止めプレート４５が、梯子部４０がフレーム部２０に対して最も下方に下りたときにフレーム部２０の下横材２４と干渉するように構成される。これによって、梯子部４０が、フレーム部２０から完全に抜け落ちることを防止することができる。
【００５９】
このように組み立てられた昇降タラップ１００を使用して、作業者は、仮設足場１０の足場部材１２と建物１のバルコニー２との間を、昇降移動することができる。
【００６０】
また、作業者は、仮設足場１０の足場部材１２から建物１のバルコニー２へと昇降タラップ１００を使用して移動する場合に、フレーム部２０の左縦材フレーム２１と右縦材フレーム２２との間を通って、梯子部４０側へ移動する。かかる場合に、作業者は、左右両側に配置された左縦材フレーム２１と右縦材フレーム２２とを、手摺として使用することができる。これによって、例えば作業者が移動時に左右のいずれの側にふらついたとしても、左縦材フレーム２１又は右縦材フレーム２２を掴むことができるので、スムーズに移動することができる。
【００６１】
また、作業者は、仮設足場１０の足場部材１２から建物１のバルコニー２へと昇降タラップ１００を使用して移動する場合には、ステージ板材５１の板面を上下方向へ向けたステージ部５０を足場として使用できるので、スムーズに移動することができる。
【００６２】
なお、昇降タラップ１００は不使用状態において、建物１のバルコニー２側から組み立てることができない。より詳細には、昇降タラップ１００は設置された状態で、フレーム部２０の第一挿通孔２８、及び梯子部４０の（複数の挿通孔４４のうち最上部に形成された）挿通孔４４に挿通された前記トグルピンを、建物１のバルコニー２側から抜き取ることができないように構成される。すなわち、昇降タラップ１００は不使用状態において、例えばいたずら等により作業者以外の者によって組み立てられ、建物１のバルコニー２から仮設足場１０へ移動されることを防止することができる。
【００６３】
また、昇降タラップ１００は、仮設足場１０が組み立てられるときに、当該仮設足場１０の組み立てと同時に設置することができる。したがって、仮設足場１０の組み立て作業と昇降タラップ１００の設置作業とを、別々に行うことなく同時に行うことができるので、作業効率を向上させることができる。
【００６４】
以上のように、本発明の一実施形態に係る昇降タラップ１００は、
建物１と前記建物１に並設された仮設足場１０との間の昇降移動に使用する昇降タラップであって、
左右に離間して配置された左右の縦材フレーム２１・２２を有し、上下一側端部が前記仮設足場１０に回動自在に支持されるフレーム部２０と、
前記左右の縦材フレーム２１・２２内にそれぞれ上下方向へ向けて摺動可能に収容される左右の縦材４１・４２と、前記左右の縦材４１・４２の間に架設される複数の横桟材４３とを有し、前記フレーム部２０内に出入可能に構成される梯子部４０と、
を具備して、
不使用時には、前記梯子部４０を前記フレーム部２０内に進入させると共に、前記フレーム部２０の上下他側端部を前記仮設足場１０に近接させることにより、前記建物１と前記仮設足場１０との間の昇降移動に使用不能な第一状態（図８（ａ）に示す状態）とし、
使用時には、前記フレーム部２０の上下他側端部を前記仮設足場１０から離間させて前記建物１に近接させると共に、前記梯子部４０を前記フレーム部２０外に退出させることにより、前記建物１と前記仮設足場１０との間の昇降移動に使用可能な第二状態（図９（ｂ）に示す状態、すなわちフレーム部２０及び梯子部４０が、上側が前方であり下側が後方となるように傾斜した姿勢となる状態）とするものである。
【００６５】
また、本発明の一実施形態に係る昇降タラップ１００は、
上下一側端部が前記フレーム部２０に回動可能に支持されるステージ部５０を具備し、
前記第一状態では、前記ステージ部５０の上下他側端部を前記フレーム部２０に近接させることにより、前記ステージ部５０を前記フレーム部２０（より詳細には、ステージ収容部２６）に収容し、
前記第二状態では、前記ステージ部５０の上下他側端部を前記フレーム部２０から離間させて前記仮設足場１０に連結させることにより、前記フレーム部２０における前記第二状態の姿勢を維持させるものである。
【００６６】
また、本発明の一実施形態に係る昇降タラップ１００は、
前記第二状態では、前記ステージ部５０を前記建物１と前記仮設足場１０との間の足場として使用するものである。
【００６７】
このような構成によって、本発明の一実施形態に係る昇降タラップ１００は、集合住宅やビル等の建物１と前記建物１に並設される仮設足場１０との間の昇降移動をスムーズに行うことができ、また、その場で収納することができるので、作業の邪魔となったり、作業者の意図に反して（例えば、いたずら等に）使用されたりする不都合が生じることを防止することができる。
【符号の説明】
【００６８】
１    建物
１０  仮設足場
２０  フレーム部
２１  左縦材フレーム
２２  右縦材フレーム
４０  梯子部
４１  左縦材
４２  右縦材
５０  ステージ部
【図１】
0005752561.tif 000002
【図２】
0005752561.tif 000003
【図３】
0005752561.tif 000004
【図４】
0005752561.tif 000005
【図５】
0005752561.tif 000006
【図６】
0005752561.tif 000007
【図７】
0005752561.tif 000008
【図８】
0005752561.tif 000009
【図９】
0005752561.tif 000010